(57)【要約】    【課題】  換気装置を備えた室内機が、換気運転ができない設置状態や換気運転の必要がない場合における問題点を解決する。    【解決手段】  室内機に設けられた熱交換器と、この熱交換器に空気を送風する室内送風機と、室内の空気を室外に通風ダクトを介して排出する排気運転機能を有する換気装置と、この換気装置の運転を指示するリモコンとを備えた空気調和機において、排気運転機能を禁止するスイッチを室内機に設け、このスイッチによって排気運転機能が禁止されているとき、リモコンにより換気装置の排気運転が指示されても、排気運転を行わないようにした。【選択図】図５
2005180776.tif 000002
【特許請求の範囲】
【請求項１】
室内機に設けられた熱交換器と、この熱交換器に空気を送風する室内送風機と、室内の空気を室外に通風ダクトを介して排出する排気運転機能を有する換気装置と、この換気装置の運転を指示するリモコンとを備えた空気調和機において、前記排気運転機能を禁止するスイッチを前記室内機に設け、このスイッチによって前記排気運転機能が禁止されているとき、前記リモコンにより前記換気装置の排気運転が指示されても、前記排気運転を行わないようにした空気調和機。
【請求項２】
室内機に設けられた熱交換器と、この熱交換器に空気を送風する室内送風機と、室外の空気を室内に通風ダクトを介して給気する給気運転機能を有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、前記給気運転を行わないようにした空気調和機。
【請求項３】
室内機に設けられた熱交換器と、この熱交換器に空気を送風する室内送風機と、室外の空気を室内に通風ダクトを介して給気する給気運転機能及び室内の空気を室外に通風ダクトを介して排出する排気運転機能とを有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、前記給気運転を行わないようにした空気調和機。
【請求項４】
室内機に設けられた熱交換器と、この熱交換器に空気を送風する室内送風機と、室外の空気を室内に通風ダクトを介して給気する給気運転機能及び室内の空気を室外に通風ダクトを介して排出する排気運転機能とを有する換気装置と、この換気装置の運転を指示するリモコンとを備えた空気調和機において、前記給気運転機能及び前記排気運転機能を禁止するスイッチを前記室内機に設け、このスイッチによって前記給気運転機能及び前記排気運転機能が禁止されているとき、前記リモコンにより前記換気装置の給気運転若しくは排気運転が指示されても、これら指示された運転を行わないようにした空気調和機。
【請求項５】
室内機に設けられた熱交換器と、この熱交換器に空気を送風する室内送風機と、室外の空気を室内に通風ダクトを介して給気する給気運転機能、室内の空気を室外に通風ダクトを介して排出する排気運転機能及び室内の空気を吸い込み室内に吹出す循環運転機能とを有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、この指示された運転を行わないようにした空気調和機。
【請求項６】
室内機に設けられた熱交換器と、この熱交換器に空気を送風する室内送風機と、室外の空気を室内に通風ダクトを介して給気する給気運転機能、室内の空気を室外に通風ダクトを介して排出する排気運転機能及び室内の空気を吸い込み室内に吹出す循環運転機能とを有する換気装置と、この換気装置の運転を指示するリモコンとを備えた空気調和機において、前記給気運転機能及び前記排気運転機能を禁止するスイッチを前記室内機に設け、このスイッチによって前記給気運転機能及び前記排気運転機能が禁止されているとき、前記リモコンにより前記換気装置の給気運転若しくは排気運転が指示されても、これら指示された運転を行わないようにした空気調和機。
【発明の詳細な説明】
【技術分野】
【０００１】
本発明は室内機に換気装置を備えた空気調和機に関する。
【背景技術】
【０００２】
室内機に熱交換器に空気を通風する主ファンとは別に、室内の空気を室外に排気する排気運転または室外の空気を室内に取り入れる給気運転を行う換気用のファン（サブファン）を設けた空気調和機が、特許文献１に記載されている。
【０００３】
すなわち、室内機に換気用のサブファンを設け、このサブファンに接続された換気ダクトを冷媒配管と共に室内側ユニットの対向する位置に開けられた壁の配管穴から室外に配管することが記載されている。
【０００４】
【特許文献１】特開２０００−２７４７２７号公報
【発明の開示】
【発明が解決しようとする課題】
【０００５】
このような換気機能を備える空気調和機には以下のような問題があった。通常の空気調和機の据付は、室内の壁に開けられた穴に対向する室外の壁の位置に穴を開けて、これら穴に冷媒配管を通し、上方から下方にかけて冷媒配管を外壁に沿わせて配管し、室内機と室外機とを接続することで冷凍サイクルを構成していた。
【０００６】
しかし、家屋の外観上の観点から、家屋の施工時に予め内壁と外壁との間に冷媒配管を埋め込んで、外壁に沿わせて配管しないようにした施工例(埋め込み配管)がある。このように施工された空気調和機を買い換えて、換気機能のある空気調和機を同一場所に据え付ける場合は、換気用の通風ダクト(換気用ホース)を直接室外側に出せない場合がある。例えば、壁に新たに穴をあけることができない場合など。
【０００７】
また、引越し、転勤、新築などで空気調和機の据え付け場所を移動させる場合に別途換気装置が備えられていて、室内機の換気機能を必要としない場合がある。
【０００８】
さらに、換気用ホースを直接室外に出せる場合であっても、換気用ホースの出口付近に、異臭発生源や煙・油煙などの発生源がある場合、給気したときにこれらが空気と共に室内に入り込んでしまい、却って使用者が不快な思いをする場合がある。また、ここに換気用ホースの先端を配置すると直ぐに油で先端が塞がれてしまうこともあるため、排気もできなくなってしまう。
【０００９】
換気用ホースが直接室外側に出せない埋め込み配管仕様となっている場合であっても、内壁と外壁との間に換気用ホースを出す空間があり、その空間が室外側まで通じている場合、排気運転はできるが、給気を行うと壁間の高湿空気を吸うこととなり露たれ、臭気の給気という問題があり給気運転を行うことができない。
【００１０】
本発明の目的は、換気装置を有する空気調和機において、換気運転をすることができない設置状態となった場合の問題を解決することにある。
【課題を解決するための手段】
【００１１】
上記目的は、室内機に設けられた熱交換器と、この熱交換器に空気を送風する室内送風機と、室内の空気を室外に通風ダクトを介して排出する排気運転機能を有する換気装置と、この換気装置の運転を指示するリモコンとを備えた空気調和機において、前記排気運転機能を禁止するスイッチを前記室内機に設け、このスイッチによって前記排気運転機能が禁止されているとき、前記リモコンにより前記換気装置の排気運転が指示されても、前記排気運転を行わないようにすることにより達成される。
【００１２】
上記目的は、室内機に設けられた熱交換器と、この熱交換器に空気を送風する室内送風機と、室外の空気を室内に通風ダクトを介して給気する給気運転機能を有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、前記給気運転を行わないようにすることにより達成される。
【００１３】
上記目的は、室内機に設けられた熱交換器と、この熱交換器に空気を送風する室内送風機と、室外の空気を室内に通風ダクトを介して給気する給気運転機能及び室内の空気を室外に通風ダクトを介して排出する排気運転機能とを有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、前記給気運転を行わないようにすることにより達成される
上記目的は、室内機に設けられた熱交換器と、この熱交換器に空気を送風する室内送風機と、室外の空気を室内に通風ダクトを介して給気する給気運転機能及び室内の空気を室外に通風ダクトを介して排出する排気運転機能とを有する換気装置と、この換気装置の運転を指示するリモコンとを備えた空気調和機において、前記給気運転機能及び前記排気運転機能を禁止するスイッチを前記室内機に設け、このスイッチによって前記給気運転機能及び前記排気運転機能が禁止されているとき、前記リモコンにより前記換気装置の給気運転若しくは排気運転が指示されても、これら指示された運転を行わないようにすることにより達成される。
【００１４】
上記目的は、室内機に設けられた熱交換器と、この熱交換器に空気を送風する室内送風機と、室外の空気を室内に通風ダクトを介して給気する給気運転機能、室内の空気を室外に通風ダクトを介して排出する排気運転機能及び室内の空気を吸い込み室内に吹出す循環運転機能とを有する換気装置と、この換気装置の運転を指示するリモコンとを備えた空気調和機において、前記給気運転機能を禁止するスイッチを前記室内機に設け、このスイッチによって前記給気運転機能が禁止されているとき、前記リモコンにより前記換気装置の給気運転が指示されても、この指示された運転を行わないようにすることにより達成される。
【００１５】
上記目的は、室内機に設けられた熱交換器と、この熱交換器に空気を送風する室内送風機と、室外の空気を室内に通風ダクトを介して給気する給気運転機能、室内の空気を室外に通風ダクトを介して排出する排気運転機能及び室内の空気を吸い込み室内に吹出す循環運転機能とを有する換気装置と、この換気装置の運転を指示するリモコンとを備えた空気調和機において、前記給気運転機能及び前記排気運転機能を禁止するスイッチを前記室内機に設け、このスイッチによって前記給気運転機能及び前記排気運転機能が禁止されているとき、前記リモコンにより前記換気装置の給気運転若しくは排気運転が指示されても、これら指示された運転を行わないようにすることにより達成される。
【発明の効果】
【００１６】
本発明によれば、換気装置を有する空気調和機において、換気運転をすることができない設置状態となった場合に、換気運転を禁止するスイッチを設け、これによりリモコンの操作を無効としたので、換気装置のファンの空転、室外からの異臭の進入等を防止することができる。
【発明を実施するための最良の形態】
【００１７】
以下、本発明に係る空気調和機の実施形態について図を用いて説明する。図１は本発明の第１実施形態の空気調和機における室内機の化粧カバーを取り外した状態の正面図、図２は図１に化粧カバーを装着した状態のＡ-Ａ断面図、図３は化粧カバーを装着した状態の背面斜視図、図４は換気の導風ダクト接続しないで据え付けた部分斜視図、図５は運転状態を表示する表示パネル平面図、図６は操作用のリモートコントロール平面図、図７は換気装置用風路に用いる第２アダプターの外観斜視図である。
【００１８】
図１、図２および図３に示すように、空気調和機は室内機1と室外機（図示せず）を接続冷媒管２で結び室内の熱交換器３等とともに密閉冷凍サイクルを構成している。室内機1は内壁面に設置され、室内機1からはドレンホース４、換気用のダクト５が前記接続冷媒管２とともに同一の壁穴を通して室外に引き出されている。運転操作はリモートコントローラ６により行われる。
【００１９】
室内機1は全体形状が横長であり、箱体は前面および上下面を包囲する樹脂製の化粧カバー７と背面を閉鎖する樹脂製のベース８を備えている。内部の横幅の中央には熱交換器３とその下流側に室内送風機９を上下に並置した熱交換室１０が配置されている。熱交換室１０の一方の側端には仕切り８ｃを介して熱交換器のベント管や除湿弁等を収納する配管室１１が配置され、他方の側端には仕切り８ｂを介して換気装置室１２が配置されている。
【００２０】
化粧カバー７の上方に室内空気の空気吸込口７ｓb、前面に空気吸込口７ｓaが、下方には空気吹出口７ｄが設けられている。また、換気装置室１２に対向する箱体前面には換気の空気の室内取入口１２ｓが設けられ、箱体横幅の中央であって空気吹出口７ｄ上方に換気の空気の室内吹出口１２ｄが設けられている。この換気空気の室内吹出口１２ｄから吹き出される空気は、室内空気取入口１２ｓから取り入れた室内空気である場合（循環運転）及び室外から取り入れた空気である場合（給気運転）がある。
【００２１】
図２において、熱交換室１０に対向する前面位置に化粧カバー７を覆うように前面パネル１３が設けられている。この前面パネル１３は、室内吹出口１２ｄの下側を下端（空気吹出口７ｄの上端を下端）とし、前面パネル１３を回動する回転の支点１３ａ付近を上端としている。この前面パネルを回動させて閉めたときには、空気吸込口７ｓａを構成するとともに、後述する室内制御装置２６を覆う。また、換気用の室内吹出口１２ｄが前面パネル１３によって覆われないような形状となっている。化粧カバー７には、横幅方向のほぼ中央で室内制御装置の近傍前面で、且つ上記室内吹出口１２ｄの上方に表示パネル２７が配置されている。
【００２２】
ベース８には後壁８aと、熱交換室１０との循環空気の風路区画をする左右仕切り８ｂ、８cが一体に形成されており、機器類もこのベース８に搭載されている。また、図２に示すように、ベース８の後壁８ａ下方は熱交換後の空気を斜め下前方に案内するために滑らかに前面側に突き出されており、その強度を上げるため突き出し部の最下端が背面側に折り曲げられている。
【００２３】
ベース８の、上記前方突き出し位置に相当する背面は、後から見れば横長へこみ部が構成されており、このへこみ部を、接続冷媒管２を横引きする場合、あるいは製品出荷する場合の横長収納室１４ａとしている。
【００２４】
ベース背面には上記横長収納室１４ａのほかに、換気用のダクト１５、換気用の通風開口部１６、接続冷媒管の縦長収納室１４ｂ、背面樋１７が配置されている。換気用のダクト１５は換気風路を室外まで導出させるのを補助するためのもので、図３に示すように向かって左側から室外に冷媒配管２と共に出す場合は必要であるが、向かって右側から室外に配管する場合は不要となる。また、この換気用のダクト１５は、ベース８とコ字状に一体で射出成形されており、これに後蓋１５ａをすることでダクトとして機能する。この換気用ダクト１５の横幅寸法は熱交換室１０の横幅とほぼ同じ寸法とし、且つ熱交換室１０にほぼ対応する背面にしてある。室内機全幅との間では左右端に幅スペースを残し、この幅スペースは、ダクト５との接続、換気装置２３と換気用ダクト１５との中継接続の場所、若しくは接続冷媒管２の曲げ処理場所として確保されている。
【００２５】
換気用の通風開口部１６は、換気装置室１２の背面に位置し、換気用ダクト１５の一端の近傍であって、換気用ダクト１５から幅方向外側で、換気用ダクト１５の下端よりもその下端部が少し高くなるように設けられている。この換気用通風開口部１６と換気用ダクト１５とは直接接続されず、第１アダプター１９によって両者が連通するように構成されている。この第１アダプター１９は背面に突出することなくコンパクトに作られている。また、換気用ダクト１５と換気用通風開口部１６との少なくとも下端部分の高さをずらした理由は、換気用ダクト１５内に水滴が生じても換気装置室１２側に流入されることを防止するためである。
【００２６】
熱交換室１０内の熱交換機３と接続された冷媒管は、配管室１１から縦長収納室１４ｂに導き出され、その下方の横長収納室１４ａに向かう。縦長収納室１４ｂはその下方の横長収納室１４ａに連続しており、広い横長収納室が配管ねじるための空間となっている。このため、曲折作業時の管潰れ防止などの効果がある。
【００２７】
背面樋１７は、背面に露が生じた場合の水滴を受けるためのもので、室内機１の幅方向に横長に設けられ、一端が他端より低くなるよう傾斜させてある。
【００２８】
次に換気装置２３からダクト５で室外に開口するまでのダクト引き回し構造について説明する。
【００２９】
換気用ダクト１５を使用するときは、図３に示すように通風開口部１６と換気用ダクト１５の一端の開口部とを第１アダプター１９で中継し、換気用ダクト１５の他方端に第２アダプター２０を取り付け、その開口部にダクト５を挿入することで接続される。ダクト５の押さえはバネバンド等による。ダクト５は家屋の内壁と外壁にあけられた穴を介して室外に導き出される。そして室外に出された端部が室外空気に開口される。これにより、据え付け時に潰れが発生し易いフレキシブルダクトの引き回しの横引き作業が要らないものである。
【００３０】
また、図３に示すように、換気用ダクト１５および第２アダプター２０は、冷媒接続管２が横引き（二点鎖線に示すように向かって右側から室外に出す場合）されたとしても、換気用ダクト１５は固定されており、この下部に横長収納室１４ａが設けられ、ここに冷媒配管を通すようにしてあるので、両者の重なりが少なく、室内機の奥行き方向に厚くすることなく両者を収納することが可能となっている。また、第１アダプター１９および第２アダプター２０は、ネジによりベース８に固定される。
【００３１】
図３で説明したダクト５の引出し位置は室内機右背面からの直後方の場合であるが、現実としては横引き後でも、壁穴が直後方にある場合、横方向にある場合、下方向にある場合がある。図７にはこのような場合に用いる向きの異なる複数の第２アダプター（Ｒａ）、（Ｒｂ）、（Ｒｃ）が用意されており、この中から対応できるものを選び、ダクト５を接続して室外に引き出される。横方向あるいは下方向に引き出す場合には、本体側面にあらかじめミシン目に施された下面切り抜き部２９ｂ等を外して行われる。
【００３２】
このように換気機能を備えた空気調和機であっても次のような場合、換気機能を使用できないか必要ではないことが起こり得る。
【００３３】
家屋の外観上の観点から、家屋の施工時に予め内壁と外壁との間に冷媒配管を埋め込んで、外壁に沿わせて配管しないようにした施工例(埋め込み配管)がある。このように施工された空気調和機を買い換えて、換気機能のある空気調和機を同一場所に据え付ける場合は、換気用の通風ダクト(換気用ホース)を直接室外側に出せない場合がある。例えば、壁に新たに穴をあけることができない場合など。
【００３４】
また、引越し、転勤、新築などで空気調和機の据え付け場所を移動させる場合に別途換気装置が備えられていて、室内機の換気機能を必要としない場合がある。
【００３５】
さらに、換気用ホースを直接室外に出せる場合であっても、換気用ホースの出口付近に、異臭発生源や煙・油煙などの発生源がある場合、給気したときにこれらが空気と共に室内に入り込んでしまい、却って使用者が不快な思いをする場合がある。また、ここに換気用ホースの先端を配置すると直ぐに油で先端が塞がれてしまうこともあるため、排気もできなくなってしまう。
【００３６】
換気用ホースが直接室外側に出せない埋め込み配管仕様となっている場合であっても、内壁と外壁との間に換気用ホースを出す空間があり、その空間が室外側まで通じている場合、排気運転はできるが、給気を行うと壁間の高湿空気を吸うこととなり露たれ、臭気の給気という問題があり給気運転を行うことができない。
【００３７】
このように壁間配管でダクト５の引き出し場所がない場合や、換気を必要としない場合には、例えば、図４に示すように、第２アダプター２０に閉鎖板２０ｄを嵌め、空気の出入りがないようにする。そして、このような場合に、リモコン６によって換気運転が操作されたとしても、これを禁止するようにしている。
【００３８】
次に室内機の内部構成と運転動作について説明する。室内送風機９は横長な貫流ファンであってその駆動用モータ２１は右仕切り８cの外側、すなわち配管室１１に配置されている。熱交換器３は図２に示すように室内送風機９の吸込側となる前方および上方に二体で略逆Ｖ字状にして左右仕切り８ｂ、８c間で支えられている。
【００３９】
室内空気はリモートコントロール操作により、室内送風機９が運転され、空気吸込口７ｓａ、７ｓｂを通して吸い込まれて熱交換器３と熱交換し、室内送風機９を通り、熱交換吐出口７ｄから室内に戻されて所定の冷房あるいは暖房が行われる。
【００４０】
露受皿２２a、２２bは図２に示すように熱交換器３の略逆Ｖ字状にされた下部に配置され、冷房運転や除湿運転時の凝縮水を受け、背面樋１７からのドレンと共に集められ、ドレンホース４により壁穴を通し室外に導かれる。
【００４１】
換気装置室１２には１セットにまとめられた換気装置２３が設置されている。室内取入口１２ｓと室内吹出ダクト２４を介して室内吹出口１２ｄとを接続する通風経路、室内取入口１２ｓと通風開口部１６（室外側開口）とを接続する通風経路、通風開口部１６と室内吹出口１２ｄとを接続する通風経路には換気送風機１８が配置されるような通風回路構成となっている。これらの通風路の切り換えは、換気送風機１８の前後に設けられた通風方向切替えダンパー（図示せず）の開閉によって行われる。これにより、給気、排気、循環などの３形態の流れを作り出せるものとなっている。
【００４２】
次に、３形態の通風構成について、図１中に模式的に示した流線矢印を参照して説明する。
【００４３】
第１形態は給気運転として白抜き矢印で示すように、室内空気をベース背面の通風開口部１６を介して室外空気を取り込み、換気送風機１８、露受皿２２ａ前面に設けられた吹出ダクト２４を介して、室内機１の略中央に配置された室内吹出口１２ｄより室内に新鮮な空気を供給する。
【００４４】
第２形態は排気運転として黒塗り矢印で示すように、室内空気を室内取入口１２ｓから取り込み、換気送風機１８を介して、ベース背面の通風開口部１６に送ることで、室外に室内の空気を排気する。
【００４５】
第３形態は循環運転として破線矢印で示すように、室内空気を室内取入口１２ｓから取り込み、換気送風機１８、吹出ダクト２４を介して、室内吹出口１２ｄよりサーキュレーションされた空気として再び室内に戻される。
【００４６】
背面の通風開口部１６（室外に通じる）は給気と排気の両用として使用され、室内の室内取入口１２ｓは吸い込み専用として使用される。室内吹出口１２ｄは吹き出し専用として使用されるものである。
【００４７】
次に、上記説明した給気運転、排気運転および循環運転について図８及び図９を参照しながら説明する。換気装置２３には給気運転、排気運転および循環運転３種類の運転モードと運転停止の状態がある。そして、それぞれの運転モードにおける風の流れ方向およびダンパーの開閉位置は図９に示す通りである。なお、運転停止の状態では当然であるが風は流れることなく、ダンパーI２９０およびダンパーII３１０はそれぞれ位置（ｂ）にあって、室内取入口１２ｓ及び吹出ダクト２４へ通風開口部１６から室外空気が室内に侵入するのを防いでいる。また、特に説明しないが、それぞれの運転モードを切り換えは、手動の場合、リモコンスイッチの操作部で行うか、室内ユニット１の操作部で行なうことになる。また、自動の場合、図示しない制御部からの指令によって行われる。換気装置２３の運転は室内機１の冷暖房運転と併用して運転することもできれば、換気装置２３単独で運転することもできる。さらに、換気装置２３にタイマーを設けて一定時間運転後、自動的に運転を停止させることも可能である。
【００４８】
図８に示すように換気装置２３に使用している換気送風機１８は、一定方向に回転して矢印方向に空気を流動させている。
【００４９】
ダンパーI２９０を動作することで、室内取入口１２ｓから室内空気を吸い込む風路、あるいは給気風路２４０を開放し通風開口部１６から室外空気を吸い込む風路のどちらかに切り換え、また、ダンパーII３１０を動作することで、吹出ダクト２４から空気を室内へ吹き出す風路、あるいは通風開口部１６から室外へ空気を排気する風路のどちらかに切り換えて、換気装置２３の運転モードを給気運転、排気運転および循環運転モードのいずれかに切り換えている。
【００５０】
即ち、給気運転では、ダンパーI２９０が（ｂ）側にあって室内取入口１２ｓを遮蔽し給気風路２４０を開放するので、給気風路２４０を通して室外空気が吸い込まれ、ダンパーII３１０は（ａ）側にあるので給気循環風路２６０が開放され排気風路２３０を遮蔽するので、換気送風機１８から吹き出された室外空気は給気循環風路２６０に送風され、室内吹出部２４を通って空気吹出口１２ｄに導かれることになる。そして、本実施例の場合、換気送風機１８によって吸い込まれる室外空気は通風開口部１６から給排気風路２５０を通って吸い込まれ、プレフィルター３３０の表面で空気中に含まれている塵埃を取り除かれた後に、給気用フィルター２１０の表面で空気中に含まれている塵埃とともに人体に有害な物質を取り除かれ、給気用フィルター２１０の中を通過して給気風路２４０に導かれ、換気送風機１８に吸い込まれることになる。
【００５１】
また、排気運転では、ダンパーI２９０が（ａ）側にあって室内取入口１２ｓを開放し給気風路２４０を遮蔽するので、室内取入口１２ｓを通して室内空気が吸い込まれるが、ダンパーII３１０は（ｂ）側にあるので、給気循環風路２６０が遮蔽され排気風路２３が開放される。これによって、換気送風機１８から吹き出された室内空気は排気風路２３０に流れ、プレフィルター３３０を通って通風開口部１６から室外に排気されることになる。
【００５２】
また、循環運転では、ダンパーI２９０が（ａ）側にあって室内取入口１２ｓを開放して給気風路２４０を遮蔽するので、室内取入口１２ｓを通して室内空気が吸い込まれ、ダンパーII３１０が（ａ）側にあって給気循環風路２６０を開放して排気風路２３０を遮蔽するので、換気送風機１８から吹き出された室内空気は給気循環風路２６０に送風され、室内吹出部２４を通って空気吹出口１２ｄに導かれることになる。
【００５３】
また、運転停止時には、ダンパーI２９０およびダンパーII３１０はともに（ｂ）側にあって給気風路２４０を通してあるいは排気風路２３０を通して室外空気が室内に侵入してしまうことを防いでいる。そのため、運転停止時に室外空気が給排気風路を通して侵入するのを防ぐための逆風防止用弁を設ける必要がない。
【００５４】
換気運転制御を含む室内機全体の制御装置２６は図１、図２に示すように室内機1にあり、高さ方向には下方寄りで、熱交換吐出口より上方で、前後方向には、前面パネル１３の内側にあり、露受皿２２ａと吹出ダクト２２との間に設置されている。制御装置２６はリモコン６の操作指令に基づき所定の冷房運転、暖房運転、給排気などの換気運転、循環などの制御を行う。
【００５５】
２６ａはスライド形の回路切替えスイッチであって、制御装置２６の一部として設置されている。前述したようにダクト５を接続できない場合、換気運転（特に給気）をしてはいけないような場合に換気運転を禁止するために、据え付け時に作業者によって設定される。
【００５６】
このスイッチ２６ａには３つのポジションが設けられている。すなわち、「給排気運転」「給気・排気運転禁止」「給気運転禁止」のポジションである。なお、回路切替えスイッチの形式形状は特にこだわることはない。
【００５７】
また、回路切替えスイッチ２６ａは、前面パネル１３の内側に設けられているので、うっかり設定の変更（解除）がされるようなことがない。また、リモコン６の操作によっては変更できなようにプログラムされている。
【００５８】
回路切替えスイッチ２６ａで換気運転の可否が設定された場合においても、換気ダクトの通風に関係のない循環運転はリモートコントロール６の操作指令により運転可能にプログラムされており、室内空気の循環運転は行われる。
【００５９】
回路切替えスイッチ２６ａのポジションを「給気・排気運転禁止」に設定すると図９における「排気運転」及び「給気運転」のダンパー位置を取らないように制御される。この設定の状態で、リモコン６によって排気運転が指令された場合、回路切り換えスイッチ２６ａの設定状態を取得して「給気・排気運転禁止」に設定されていることを読み込んで、これを無視し、図５に示す表示パネル２７の給排気ランプを点滅させスピーカー（ブザーでも可）からピッピッーという音を鳴らして警告を発する。給気運転が指令された場合も同様である。
【００６０】
しかし、循環運転は特に禁止されていないので、リモコン６により循環運転が指示されると図９に示す循環運転の位置にダンパーＩ２９０およびダンパーII３１０を動作させた後、換気送風機１８を動作させる。そして、停止が操作されるとダンパー位置を運転停止位置に動作させる。
【００６１】
また、回路切り換えスイッチ２６ａのポジションが「給気運転禁止」に設定されると、図９に示す「給気運転」のダンパー位置を取らないように制御される。上記同様、リモコン６によって給気運転が操作されても、回路切替えスイッチ２６ａの状態を読み取り、給気運転禁止であるのでこれを無視する。そして、使用者に報知するため、給排気ランプを点滅させてスピーカーからピッピッーという音を出す。これ以外の運転は、可能であるので、リモコン６により「循環運転」若しくは「排気運転」が操作されたときは、図９に示すダンパー位置にセットした後、換気送風機１８を回転させる。
【００６２】
なお、「給気運転」、「循環運転」若しくは「排気運転」がリモコンによって指示された場合を示したが、プログラムされた運転であってこれら運転のうち複数がプログラムの指示に従って運転される場合にある運転が禁止されていたとき、プログラム上この禁止された運転が他の運転と組み合わされている場合は、このプログラムされた運転がリモコン６によって操作されても、上記同様受け付けないようにした。例えば、部屋の空気の汚れ具合をセンサーにて監視し汚れた場合に「排気運転」を実行し、その後室外の新鮮な空気を取り入れるため「給気運転」を実行する「空気見張り運転」の場合に「給気運転禁止」が設定されているとき、「空気見張り運転」を行うと自動的に給気運転を実行するようプログラムされているため、「給気運転禁止」がセットされており、「空気見張り運転」には「給気運転」がプログラム上組み込まれているので、リモコン６によって「空気見張り運転」が操作されてもこれを受け付けないようにし、かつ使用者に上記手段で報知するようにしている。
【００６３】
次に具体的な報知の仕方について説明する。表示パネル２７は図５に示すように、制御装置２６からの運転状況に合わせた発色や点滅を直接、あるいは導光板に受けて複数の区画された領域から色別、点滅などの目視表示および訴える音の聴感表現で使用者に運転および操作状態を知らせるものである。
【００６４】
リモコン６は図６に示すように、制御または運転名の第１指令の押しボタン６ｂ等と表示部６ａを有し、押しボタン６ｂ等で操作した指令の内容および応答が表示部６ａに表示される。何の表示も現われない場合には、操作指令に不具合または、指令を制御装置２６に送信しても意味がないことを知らせるものである。指令は室内機1の制御装置２６の受信部２７ｄにはいり、指令の内容は室内機1の表示パネルから運転の可否を含め使用者に知らされる。押しボタン６ｂ等それ自身の機能は前記した回路切替え設定の如何にかかわらず正常動作するものである。
【００６５】
回路切替えスイッチ２６ａで換気運転禁止に設定された場合には、リモートコントロール６の給排気ボタン６ｂが押されると、リモートコントロール表示部６ａ「給排気・・NG」の表示を出し（あるいは何も表示させないで運転不可能を知らせる）、室内制御装置２６の受信部２７ｄに受けて、室内機の給排気の表示パネルでは円形部のランプ２７ｂを、例えば、１秒ON、1秒OFFの点滅を１０秒間続け、同時にブザーも「ピッピー」と発生させて使用者に換気運転が禁止されている設定情報を知らせることができる。
【００６６】
回路切替えスイッチ２６ａで換気運転可能に設定された場合には、リモートコントロール６の給排気ボタン６ｂが押されると、リモートコントロール表示部６ａ「給排気運転」の表示を出し、室内制御装置２６の受信部２７ｂに受けて、室内機の給排気の表示パネル２７では円形部のランプ２７ｂが点灯し、そのまま換気運転が続けられる。「給排気運転」に続き副メニューとして「運転モード？」を表示して、自動交互給排気運転か、給気運転のみか、排気運転のみか、連続運転か、間欠運転かなどの２次モードを選択する形式であってもよい。
【００６７】
なお、本実施例における換気装置は、「給気運転」「排気運転」「循環運転」ができるものを示したが、本発明は、これに限らず「給気運転」のみできる換気装置、「排気運転」のみできる換気装置、若しくは「給気運転」及び「排気運転」が可能な換気装置であっても、前述した課題がある場所に設置する場合に適用することができる。
【００６８】
また、本実施例における換気装置は室内機内に配置されたものであるが、室外機に配置された場合でも、前述と同様の課題がある場合に本発明を適用することができる。
【図面の簡単な説明】
【００６９】
【図１】本発明の実施形態の空気調和機における室内機の化粧カバーを取り外した状態の正面図である。
【図２】図１の化粧カバーを装着した状態のＡ-Ａ断面図である。
【図３】図１の化粧カバーを装着した状態の背面斜視図である。
【図４】換気の導風ダクトを接続しないで据え付けた部分斜視図
【図５】本発明の実施形態に係る空気調和機の運転を操作するリモートコントロールの平面図である。
【図６】本発明の実施形態に係る運転状態を表示する表示パネル平面図である。
【図７】本発明の実施形態に係る換気装置用風路に用いる複数の第２アダプターの外観斜視図である。
【図８】本発明の実施形態に係る換気装置の動作モードを示す模式図である。
【図９】図８に示すダンパーのポジションを示す表である。
【符号の説明】
【００７０】
１…室内機、２…接続冷媒管、３…熱交換器、４…ドレンホース、５…導風ダクト、６…リモコン、６ａ…表示部、６ｂ給排気ボタン、７…化粧カバー、７ｓａ…空気吸込口、７ｓｂ…空気吸込口、７ｄ…熱交換吐出口、８…ベース、８ａ…後壁、８ｂ…左仕切板、８ｃ…左仕切板、９…室内送風機、１０…熱交換室、１１…配管室、１２…換気装置室、１２ｓ…空気取入口、１２ｄ…空気吹出口、１３…前面パネル、１３ａ…支点、１４ａ…横長収納室、１４ｂ…縦長収納室、１５…換気用ダクト、１６…通風開口部、１７…背面樋、１８…換気送風機、１９…第１アダプター、２０…第２アダプター、２０ｄ…閉鎖板、２１…モータ、２２ａ，２２ｂ…露受皿、２３…換気装置、２４…吹出ダクト、２５…除菌フィルター、２６…室内制御装置、２６ａ…回路切り替えスイッチ、２７…表示パネル、２７ｄ…受信部、２８…バンド、２９ａ，２９ｂ，２９ｃ，２９ｄ…切抜部、３０…第３アダプター、３０ａ，３０ｂ…開口部、３１…壁、３２…壁穴。
【図１】
2005180776.tif 000003
【図２】
2005180776.tif 000004
【図３】
2005180776.tif 000005
【図４】
2005180776.tif 000006
【図５】
2005180776.tif 000007
【図６】
2005180776.tif 000008
【図７】
2005180776.tif 000009
【図８】
2005180776.tif 000010
【図９】
2005180776.tif 000011